(57)【要約】【課題】放出装置の放出シュータに粉砕物の詰まりが発生したとき、詰まった粉砕物を容易に除去することができ、また、詰まりやすい被粉砕物を処理するとき、予め詰まりを防止可能な状態で作業を行うことを可能とする。【解決手段】被破砕物を粉砕する粉砕装置１と、投入口２から投入された被破砕物を粉砕装置１内に送り込む送り装置３と、粉砕装置１で粉砕された粉砕物をブロア４により発生させる風で搬送して放出シュータ６から放出する放出装置５とを備えた樹枝粉砕機において、放出装置の放出シュータ６に開閉可能な底面部２１を設ける。【選択図】  図１
2004181675.tif 000002
【特許請求の範囲】
【請求項１】
被破砕物を粉砕する粉砕装置と、投入口から投入された被破砕物を粉砕装置内に送り込む送り装置と、粉砕装置で粉砕された粉砕物をブロアにより発生させる風で搬送して放出シュータから放出する放出装置とを備えた樹枝粉砕機であって、放出装置の放出シュータに開閉可能な底面部を設けたことを特徴とするとする樹枝粉砕機。
【発明の詳細な説明】
【０００１】
【発明の属する技術分野】
本発明は、伐採された樹木や剪定された木の枝等をチップ状に粉砕する樹枝粉砕機に関する。
【０００２】
【従来の技術】
伐採された樹木や剪定された木の枝などをチップ状に粉砕する樹枝粉砕機は、一般に、図１０〜図１２に示すように、樹木や木の枝などの被破砕物Ｗをチップ状に粉砕する粉砕装置１と、投入口２から投入された被破砕物Ｗを粉砕装置１内に送り込む送り装置３と、粉砕装置１でチップ状に粉砕された粉砕物Ｃをブロア４により発生させる風で搬送して放出する空気搬送式の放出装置５とを備えている。
【０００３】
放出装置５には、放出シュータ６がブロア４の上方に設けられており、粉砕物Ｃは放出シュータ６の出口７から放出される。この放出シュータ６の出口７の高さは、粉砕物Ｃを直接トラックの荷台に積み込むことができ、更にある程度遠方へ放出できるような高さになっている。
また、放出シュータ６は、粉砕物Ｃを任意の方向に放出できるよう、３６０度旋回可能にサポート８で支持されており、図１３、図１４に示すように、このサポート８の基端部周縁に設けられた歯状の切り込み９にピン１０を差し込むことにより任意の位置に固定できるようになっている。更に、粉砕物Ｃの放出距離も任意に設定できるように、トップアジャスタ１１が設けられている。トップアジャスタ１１はトップアジャスタ固定用レバー１２を緩めて傾動させることにより角度調整が可能となっている。
【０００４】
【発明が解決しようとする課題】
このような樹枝粉砕機では、放出シュータ６の出口７から放出される粉砕物Ｃが樹枝粉砕機の機体１３上に落下しないように、また、トラックの荷台に直接粉砕物Ｃを積み込む場合、トラックを樹枝粉砕機のどちら側に近接させた状態でも粉砕物Ｃを確実にトラックの荷台上に落下させることができるように、通常、放出シュータ６は、どの方向に旋回させても出口７が機体１３より外側に位置するよう、長さを長く設定している。
【０００５】
しかしながら、放出シュータ６の長さが長いと、水分を含んだ被粉砕物Ｗを処理する場合、図１２に示すように、放出シュータ６の内部に粉砕物Ｃが堆積して詰まりを生じ易く、また、一旦詰まりが生じると、その除去作業が困難であり、粉砕作業が中断してしまうという問題があった。
詰まりを防止するために放出シュータ６を短くしたものもあるが、放出シュータ６を短くすると放出可能な位置が限定されてしまい作業性が悪い。
【０００６】
本発明は、樹枝粉砕機における上記問題を解決するものであって、放出装置の放出シュータに粉砕物の詰まりが発生したとき、詰まった粉砕物を容易に除去することができ、また、詰まりやすい被粉砕物を処理するとき、予め詰まりを防止可能な状態で作業を行うことが可能であり、放出シュータ内部の粉砕物の詰まりによる粉砕作業の中断が少なく、作業効率のよい樹枝粉砕機を提供することを目的とする。
【０００７】
【課題を解決するための手段】
本発明では、被破砕物を粉砕する粉砕装置と、投入口から投入された被破砕物を粉砕装置内に送り込む送り装置と、粉砕装置で粉砕された粉砕物をブロアにより発生させる風で搬送して放出シュータから放出する放出装置とを備えた樹枝粉砕機において、放出装置の放出シュータに開閉可能な底面部を設けることにより上記課題を解決している。
【０００８】
この樹枝粉砕機では、投入口から投入された被粉砕物が送り装置で粉砕装置内に送り込まれ、粉砕装置内でチップ状に粉砕される。粉砕された粉砕物は、放出装置のブロアで発生する風によって搬送され放出シュータから放出される。
作業中に放出シュータの内部に粉砕物が堆積して詰まりを生じた場合には、放出シュータの底面部を開けば堆積した粉砕物を容易に除去することができる。また、詰まりやすい被粉砕物を処理するとき、予め詰まりを防止可能な状態で作業を行うことも可能である。従って、放出シュータ内部の粉砕物の詰まりによる粉砕作業の中断が少なく、効率よく作業することができる。
【０００９】
【発明の実施の形態】
図１は本発明の実施の一形態を示す樹枝粉砕機の側面図、図２は樹枝粉砕機の平面図、図３は樹枝粉砕機の要部の構成図、図４は放出シュータの底面部のヒンジの作動の説明図、図５は放出シュータの底面部の掛止具の正面図、図６は掛止具の側面図、図７〜図９は樹枝粉砕機の作業状態の説明図である。
【００１０】
この樹枝粉砕機は、樹木や木の枝などの被破砕物Ｗをチップ状に粉砕する粉砕装置１と、投入口２から投入された被破砕物Ｗを粉砕装置１内に送り込む送り装置３と、粉砕装置１でチップ状に粉砕された粉砕物Ｃをブロア４により発生させる風で搬送して放出する空気搬送式の放出装置５とを備えており、クローラ走行装置１５で移動可能になっている。
【００１１】
放出装置５には、放出シュータ６がブロア４の上方に設けられており、粉砕物Ｃは放出シュータ６の出口７から放出される。この放出シュータ６の出口７の高さは、粉砕物Ｃを直接トラックの荷台に積み込むことができ、更にある程度遠方へ放出できるような高さになっている。
また、放出シュータ６は、粉砕物Ｃを任意の方向に放出できるよう、３６０度旋回可能にサポート８で支持されており、図１３、図１４に示すものと同様に、このサポート８の基端部周縁に設けられた歯状の切り込み９にピン１０を差し込むことにより任意の位置に固定できるようになっている。そして、放出シュータ６の長さは、図７〜図９に示すように、どの方向に向けても、出口７が機体１３より外側に位置するよう十分長く設定されている。
【００１２】
更に、粉砕物Ｃの放出距離も任意に設定できるように、トップアジャスタ１１が設けられている。トップアジャスタ１１はトップアジャスタ固定用レバー１２を緩めて傾動させることにより角度調整が可能となっている。
放出装置５の放出シュータ６には、基端側が図４（ａ）、図４（ｂ）に示すようにヒンジ２０で支持され、ヒンジ２０を支点として上下に回動することにより開閉可能な底面部２１が形成されている。
【００１３】
底面部２１は、底面部２１の先端側に設けたフック２２と放出シュータ６のフック２２に対応する位置に設けたラッチ２３とで構成される掛止具で、常時は閉じた状態に保持されている。なお、図４（ａ）に示すように閉じた状態で底面部２１の基端側から粉砕物Ｃが漏出するのを防止するため、放出シュータ６にはシールラバー２４が設けられている。
【００１４】
また、開閉可能な底面部２１の両側には、放出シュータ６の側面からサイドカバー２５が吊設されている。底面部２１の下面には、底面部２１を開いた状態で機体１３上に載置するためのレストラバー２６が貼り付けられている。
この樹枝粉砕機では、投入口２から投入された被粉砕物Ｗが送り装置３で粉砕装置１内に送り込まれ、粉砕装置１内でチップ状に粉砕される。粉砕された粉砕物Ｃは、放出装置５のブロア４で発生する風によって搬送され放出シュータ６の出口７から放出される。
【００１５】
作業中に放出シュータ６の内部に粉砕物Ｃが堆積して詰まりを生じた場合には、ラッチ２３をフック２２から外して放出シュータ６の底面部２１を開けれは、堆積した粉砕物Ｃを容易に除去することができる。
また、詰まりやすい被粉砕物Ｗを処理するとき、予め詰まりを防止可能な状態で作業を行うことも可能である。即ち、図７〜図９に示すように底面部２１を開いて先端側を機体１３上に載置する。底面部２１の下面にはレストラバー２６が貼り付けられているので特別に固定手段は必要なく、機体１３上に載置するだけで作業可能である。この状態で粉砕作業を行えば、粉砕物Ｃが堆積して詰まりを生じるおそれはなく、底面部２１の両側はサイドカバー２５で遮られているので、粉砕物Ｃの周囲への飛散も防止できる。
【００１６】
従って、放出シュータ６をどの方向に向けても出口７が機体１３より外側に位置するよう、放出シュータ６を十分長く設定されていても、内部の粉砕物Ｃの詰まりによる粉砕作業の中断が少なく、効率よく作業することができる。
【００１７】
【発明の効果】
以上説明したように、本発明の樹枝粉砕機では、放出装置の放出シュータに粉砕物の詰まりが発生したとき、詰まった粉砕物を容易に除去することができ、また、詰まりやすい被粉砕物を処理するとき、予め詰まりを防止可能な状態で作業を行うことが可能であり、放出シュータ内部の粉砕物の詰まりによる粉砕作業の中断が少なく、効率よく作業することができる。
【図面の簡単な説明】
【図１】本発明の実施の一形態を示す樹枝粉砕機の側面図である。
【図２】樹枝粉砕機の平面図である。
【図３】樹枝粉砕機の要部の構成図である。
【図４】放出シュータの底面部のヒンジの作動の説明図である。
【図５】放出シュータの底面部の掛止具の正面図である。
【図６】掛止具の側面図である。
【図７】樹枝粉砕機の作業状態の説明図である。
【図８】樹枝粉砕機の作業状態の説明図である。
【図９】樹枝粉砕機の作業状態の説明図である。
【図１０】従来の樹枝粉砕機の側面図である。
【図１１】従来の樹枝粉砕機の平面図である。
【図１２】従来の樹枝粉砕機の要部の構成図である。
【図１３】サポートの平面図である。
【図１４】サポートの基端部の側面図である。
【符号の説明】
１    粉砕装置
２    投入口
３    送り装置
４    ブロア
５    放出装置
６    放出シュータ
７    出口
８    サポート
９    切り込み
１０  ピン
１１  トップアジャスタ
１２  トップアジャスタ固定レバー
１３  機体
２０  ヒンジ
２１  底面部
２２  フック
２３  ラッチ
２５  サイドカバー
２６  レストラバー
【図１】
2004181675.tif 000003
【図２】
2004181675.tif 000004
【図３】
2004181675.tif 000005
【図４】
2004181675.tif 000006
【図５】
2004181675.tif 000007
【図６】
2004181675.tif 000008
【図７】
2004181675.tif 000009
【図８】
2004181675.tif 000010
【図９】
2004181675.tif 000011
【図１０】
2004181675.tif 000012
【図１１】
2004181675.tif 000013
【図１２】
2004181675.tif 000014
【図１３】
2004181675.tif 000015
【図１４】
2004181675.tif 000016